(57)【要約】  液晶ディスプレイデバイスでの使用に好適な導光板であって、前記導光板は、ガラス板と、前記導光板の縁部表面に接着された光カプラとを備える。また、前記導光板を採用した液晶ディスプレイのためのバックライトユニット、及び前記バックライトユニットを採用したディスプレイデバイスも開示される。
2018531488.tif 000002
【特許請求の範囲】
【請求項１】
第１の主表面、第２の主表面及び厚さＴｈ１の少なくとも１つの縁部表面を備えるガラス導光板；
前記縁部表面の一部分に接着された整数ｎ個の導波路を備える前記導光板に結合された光カプラ；並びに
前記光カプラの入力小面に隣接して位置決めされた光源であって、前記入力小面は厚さＴｈ２を有する、光源
を備える、バックライトユニット。
【請求項２】
第１の主表面、第２の主表面及び厚さＴｈ１の少なくとも１つの縁部表面を備えるガラス導光板；
前記縁部表面の一部分に接着された整数ｎ個の導波路を備える前記導光板に結合された入力小面を有する光カプラであって、各前記導波路は出力小面を有する、光カプラ；並びに
前記光カプラの入力小面に隣接して位置決めされた光源であって、前記入力小面は厚さＴｈ２を有する、光源
を備える、バックライトユニット。
【請求項３】
前記Ｔｈ２を前記Ｔｈ１で除算することにより、１．５：１、２：１、３：１、４：１、５：１、１．５：１〜３：１、１．５：１〜５：１、又は５：１超の比が定義される、請求項１又は２に記載のバックライトユニット。
【請求項４】
前記ｎは奇数である、請求項１〜３のいずれか１項に記載のバックライトユニット。
【請求項５】
前記ｎは２〜２０である、請求項１〜３のいずれか１項に記載のバックライトユニット。
【請求項６】
前記ｎ個の導波路のうちの１つは、湾曲した部分を含む、請求項１〜５のいずれか１項に記載のバックライトユニット。
【請求項７】
前記ｎ個の導波路のうちの１つは、直線状の部分を含む、請求項１〜６のいずれか１項に記載のバックライトユニット。
【請求項８】
前記ｎ個の導波路のうちの１つは、高さ及び／又は幅を変更できるよう構成された部分を含む、請求項１〜７のいずれか１項に記載のバックライトユニット。
【請求項９】
前記Ｔｈ１は０．１ｍｍ〜３ｍｍである、請求項１〜８のいずれか１項に記載のバックライトユニット。
【請求項１０】
前記ｎ個の導波路はそれぞれ厚さＴｈｎを有し、Ｔｈ１＝ＴｈｎかつＴｈ２＞Ｔｈｎである、請求項１〜９のいずれか１項に記載のバックライトユニット。
【請求項１１】
前記光カプラは、ポリマー又はガラス材料で構成される、請求項１〜１０のいずれか１項に記載のバックライトユニット。
【請求項１２】
液晶ディスプレイパネル；及び
前記液晶ディスプレイを照明するよう構成された、請求項１〜１１のいずれか１項に記載のバックライトユニット
を備える、ディスプレイデバイス。
【発明の詳細な説明】
【関連出願の相互参照】
【０００１】
本出願は、米国特許法第１１９条の下で、２０１５年１０月６日出願の米国仮特許出願第６２／２３７７６１号の優先権を主張するものであり、上記仮特許出願の内容は信頼できるものであり、参照によりその全体が本出願に援用される。
【技術分野】
【０００２】
本開示は、液晶ディスプレイデバイス用の縁部発光バックライトユニット、より詳細には、バックライトユニットを構成する光源のアレイと導光板との間で光を連結するよう構成されたカプラを備えるバックライトユニットを対象とする。
【背景技術】
【０００３】
液晶ディスプレイ（ＬＣＤ）パネルは典型的には、間に液晶材料、ポリマー光導体（例えばポリ（メチルメタクリレート）：ＰＭＭＡ）、及び薄型プラスチックフィルム（拡散器、ＤＢＥＦフィルム等）が配置された、２片の薄型ガラス（色フィルタ基板及びＴＦＴ基板）を備える。ＰＭＭＡの弾性率が低いため、全体的な構造は、有意な物理的衝撃に耐えるための十分な剛性を有することができない。従って、剛度を提供するための追加の機械的構造が必要となり得る。ＰＭＭＡのヤング率は約２ギガパスカル（ＧＰａ）である。対照的に、大半のシリカ系ガラスのヤング率は約７２ＧＰａである。
【０００４】
湿度試験により、ＰＭＭＡは湿気に対して極めて敏感であり、寸法が約０．５％変化し得ることが示されている。これは約１メートルの長さに対して約５ｍｍの寸法増大を意味し、これは極めて有意なものであり、バックライトの機械的設計を困難にする。典型的には、光源（例えば発光ダイオード：ＬＥＤ）とＰＭＭＡ光導体との間に空隙を設けることにより、ＰＭＭＡの膨張に適応する。残念なことに、光源とＰＭＭＡ光導体との間の光結合は、光源と光導体との間の距離に左右されやすく、これにより、ディスプレイの輝度が湿度に応じて変化し得る。
【０００５】
ＰＭＭＡはおよそ７５×１０‐６／℃の熱膨張係数（ＣＴＥ）を有し、また約０．２Ｗ／ｍ／Ｋという相対的に低い熱伝導率を有するが、シリカ系ガラスの上記属性は８×１０‐６／℃及び０．８Ｗ／ｍ／Ｋであり得る。ＰＭＭＡはまた、約１０５℃の可塑性転移温度を有する。ＰＭＭＡの低い熱伝導性は、材料からの熱放散を阻害する。従って、多量のエネルギを放散し得るＬＥＤの付近に光導体が近づくにつれて、ＰＭＭＡは非常に高温になる場合がある。
【発明の概要】
【発明が解決しようとする課題】
【０００６】
ＰＭＭＡの熱的、機械的及び寸法的安定性が低いため、シリカ系ガラス等のガラスは、液晶ディスプレイ（ＬＣＤ）バックライトユニットのための有望な代替解決策と見做されている。しかしながら、高品質光学グレードガラスはＰＭＭＡより製造にコストがかかる場合が多く、ガラスのコストにより、より薄い光導体を目指す技術的進歩が推進されるが、その一方で、例えば少なくとも２ミリメートル厚である、光導体に結合させなければならないＬＥＤのサイズにより、ＬＥＤからの光を光導体に１００％近く結合させることができるよう、ガラスを、従来の０．０７ミリメートル（ｍｍ）厚のＬＣＤガラスよりも厚くする必要がある。
【課題を解決するための手段】
【０００７】
いくつかの実施形態では、光源からの光を薄型導光板に効率的に結合できる光結合デバイスが提供される。この光結合デバイスは、垂直（横）方向及び水平方向の両方に屈曲した複数層の導波路からなる。
【０００８】
いくつかの実施形態では：第１の主表面、第２の主表面及び厚さＴｈ１の少なくとも１つの縁部表面を備えるガラス導光板と；上記縁部表面の一部分に接着された整数ｎ個の導波路を備える上記導光板に結合された光カプラと；上記光カプラの入力小面に隣接して位置決めされた光源であって、上記入力小面は厚さＴｈ２を有する、光源とを備える、バックライトユニットが提供される。
【０００９】
いくつかの実施形態では：第１の主表面、第２の主表面及び厚さＴｈ１の少なくとも１つの縁部表面を備えるガラス導光板と；上記縁部表面の一部分に接着された整数ｎ個の導波路を備える上記導光板に結合された入力小面を有する光カプラであって、各上記導波路は出力小面を有する、光カプラと；上記光カプラの入力小面に隣接して位置決めされた光源であって、上記入力小面は厚さＴｈ２を有する、光源とを備える、バックライトユニットが提供される。
【００１０】
いくつかの実施形態では：入力小面と；整数ｎ個の導波路であって、各上記導波路は出力小面を有する、導波路とを備える、光カプラが提供される。
【００１１】
本開示の更なる特徴及び利点は、以下の「発明を実施するための形態」に記載され、その一部は、当業者には「発明を実施するための形態」から容易に明らかになるか、又は以下の「発明を実施するための形態」、特許請求の範囲及び添付の図面を含む本明細書に記載の方法を実行することによって認識されるだろう。
【００１２】
上述の「発明の概要」及び以下の「発明を実施するための形態」はいずれも、本開示の様々な実施形態を提示しており、請求対象の主題の性質及び特徴を理解するための概観又は枠組みを提供することを意図したものであることを理解されたい。添付の図面は、本開示の更なる理解を提供するために含まれており、本明細書に組み込まれて本明細書の一部を構成する。これらの図面は、本開示の様々な実施形態を図示しており、本記載と併せて、本開示の原理及び動作を説明する役割を果たす。
【図面の簡単な説明】
【００１３】
以下の「発明を実施するための形態」は、以下の図面と併せて読むと更に理解できる。
【図１】例示的な液晶ディスプレイデバイスの、ディスプレイパネル及びバックライトユニットを示す側面断面図
【図２】図１のバックライトユニットで使用するための例示的なＬＥＤ光源の上面図
【図３Ａ】本開示の特定の実施形態による封止されたデバイスの断面図
【図３Ｂ】本開示の特定の実施形態による封止されたデバイスの断面図
【図３Ｃ】本開示の特定の実施形態による封止されたデバイスの断面図
【図４】本発明の主題のいくつかの実施形態の斜視図
【図５】図４に示すカプラの上面平面図
【図６Ａ】ある実施形態の光結合効率のグラフ
【図６Ｂ】別の実施形態の光結合効率のグラフ
【図６Ｃ】他の実施形態の光結合効率のグラフ
【図６Ｄ】さらに別の実施形態の光結合効率のグラフ
【図６Ｅ】また別の実施形態の光結合効率のグラフ
【図７】本発明の主題の別の実施形態の上面平面図
【図８】図７の１つの導波路の側面平面図
【図９】弧の半径に対する結合効率のグラフ
【図１０】図７及び８に示した実施形態の最適化の図
【発明を実施するための形態】
【００１４】
これより、本開示の様々な実施形態について、例示的な方法及びデバイスを図示する図１〜１０を参照して議論する。以下の概説は、請求対象の方法及びデバイスの概観を提供することを意図しており、様々な態様について、非限定的な実施形態を参照して本開示全体を通して更に具体的に議論する。これらの実施形態は、本開示の文脈内において相互交換可能である。
【００１５】
図１は、ディスプレイパネル及びバックライトユニットを示す、例示的な液晶ディスプレイデバイス１０の側面断面図である。分かりやすくするために、本議論に必須ではない構成部品は省略されている。液晶ディスプレイデバイス１０は液晶ディスプレイパネル１２を備え、これは、上部ガラス板１４（例えば色フィルタ）、底部ガラス板１６（例えば薄膜トランジスタ（ＴＦＴ）背面）、及びこれらの間に配置された液晶材料１８を備える。ガラス板１４及び１６の縁部は、封止材料２０で封止できる。液晶ディスプレイデバイス１０は更に、導光板２４及び光源２６を備えるバックライトユニット２２を備える。現代の液晶ディスプレイデバイスは典型的には、導光板の１つ以上の縁部に沿って配設され、かつ導光板の１つ以上の縁部において上記導光板に光を注入するよう構成された、光源を備える。
【００１６】
図２は、図１のバックライトユニットで使用するための例示的なＬＥＤ光源の上面図である。図２を参照すると、ＬＣＤディスプレイを照明するための光源として使用される好適な光源２６は、ストリップ状回路基板３０上に設置された別個の発光ダイオード（ＬＥＤ）２８の直線状アレイとして形成してよい。個々のＬＥＤは長方形の形状（例えば７×２ミリメートル（長さＬｄ×幅Ｗｄ））を有することができ、アレイ内のＬＥＤは、最も近接したＬＥＤから２〜５ミリメートルの間隙δだけ隔てられている。他の実施形態では、ＬＥＤは円形又は他のいずれの形状であってよく、このような描写は本明細書に添付された請求項の範囲を限定しないものとする。更なる実施形態では、ＬＣＤディスプレイを照明するための光源として使用される別の好適な光源２６は、光源２６の色域を拡大するために量子ドットを用いる、別個の発光デバイスの直線状アレイであってよい。
【００１７】
量子ドットを有する封止されたデバイスを備える光源の２つの非限定的な実施例の断面図を、図３Ａ〜Ｂに示す。封止されたデバイス２００は、第１のガラス基板２０１と、少なくとも１つのキャビティ２０９を備える第２のガラス基板２０７とを備える。少なくとも１つのキャビティ２０９は、少なくとも１つの量子ドット２０５を内包できる。少なくとも１つのキャビティ２０９はまた、少なくとも１つのＬＥＤコンポーネント２０３を内包できる。第１の基板２０７及び第２の基板２０１は少なくとも１つのシール２１１で１つに連結でき、上記シール２１１は、少なくとも１つのキャビティ２０９の周りに延在できる。あるいは上記シールは、２つ以上のキャビティ、例えば２つ以上のキャビティのグループ（図示せず）の周りに延在できる。更なる実施形態では、１つ以上のレンズ（図示せず）を、第１のガラス基板２０１の、ＬＥＤ２０３とは反対側に設けてよい。ＬＥＤ２０３は、直径又は長さについていずれのサイズであってよく、例えば約１００μｍ〜約１ｍｍ、約２００μｍ〜約９００μｍ、約３００μｍ〜約８００μｍ、約４００μｍ〜約７００μｍ、約３５０μｍ〜約４００μｍ及びこれらの間のいずれの部分範囲であってよい。ＬＥＤ２０３はまた、高い又は低いフラックスを提供してよく、高いフラックスを目的とする場合、ＬＥＤ２０３は２０Ｗ／ｃｍ２以上を放出してよい。低いフラックスを目的とする場合、ＬＥＤ２０３は２０Ｗ／ｃｍ２未満を放出してよい。
【００１８】
図３Ａに示す非限定的な実施形態では、少なくとも１つのＬＥＤコンポーネント２０３は、少なくとも１つの量子ドット２０５と直接接触できる。本明細書中で使用する場合、用語「接触（ｃｏｎｔａｃｔ）」は、挙げられている２つの要素の間の直接の物理的接触又は相互作用を指すことを意図しており、例えば量子ドット及びＬＥＤコンポーネントは、上記キャビティ内で互いに対して物理的に相互作用できる。図３Ｂに示す非限定的な実施形態では、少なくとも１つのＬＥＤコンポーネント２０３及び少なくとも１つの量子ドット２０５は、同一のキャビティ内に存在してよいが、例えば分離バリア又はフィルム２１３によって隔てられる。
【００１９】
図３Ｃに示す非限定的な実施形態では、封止されたデバイス２００は、少なくとも１つのＬＥＤコンポーネント２０３、第１の基板２０１、第２の基板２０７、及び第３の基板２１５を含んでよい。第１の基板２０１及び第３の基板２１５は、気密封止パッケージ又はデバイス２１６を形成してよく、これは、少なくとも１つの量子ドット２０５を内包する、取り囲まれてカプセル化された領域を形成する。いくつかの実施形態では気密封止パッケージ又はデバイス２１６はまた、ハイパスフィルタとして作用するフィルム、及びローパスフィルタとして作用するフィルム、又は所定の波長の光をフィルタリングするために提供されるフィルムといった、１つ以上のフィルム２１７ａ、ｂを含む。いくつかの実施形態では、少なくとも１つのＬＥＤコンポーネント２０３は、少なくとも１つの量子ドット２０５から所定の距離「ｄ」だけ離間できる。いくつかの実施形態では、上記所定の距離は、約１００μｍ以下とすることができる。他の実施形態では、上記所定の距離は、約５０μｍ〜約２ｍｍ、約７５μｍ〜約５００μｍ、約９０μｍ〜約３００μｍ、及びこれらの間の全ての部分範囲である。いくつかの実施形態では、上記所定の距離は、ＬＥＤコンポーネント２０３の上面から、少なくとも１つの量子ドット２０５を内包する上記取り囲まれてカプセル化された領域の正中線までで測定される。当然のことながら、上記所定の距離は、限定するものではないが、少なくとも１つの量子ドット２０５に対面する第３の基板２１５の上面、少なくとも１つの量子ドット２０５に対面する第１の基板２０１の底面、又は気密封止パッケージ若しくはデバイス２１６内に存在し得るフィルム若しくはフィルタ２１７ａ、ｂのうちのいずれの１つによって形成される表面等、少なくとも１つの量子ドット２０５を内包する上記取り囲まれてカプセル化された領域のいずれの部分までで測定してもよい。いくつかの実施形態では、例示的なフィルムは、例示的なＬＥＤコンポーネント２０３からの青色光が第１の方向においてデバイス２１６から出るのを防止するフィルタ２１７ａ、及び／又は赤色光（若しくは励起された量子ドット材料が放出した別の光）が第２の方向においてデバイス２１６から出るのを防止するフィルタ２１７ｂを含む。例えばいくつかの実施形態では、デバイス２００は、第２の基板２０７及び／又は他の基板によって形成された壁又は他のエンクロージャ内に内包された１つ以上のＬＥＤコンポーネント２０３を備えてよい。上記１つ以上のＬＥＤコンポーネントに近接した（例えば上述の所定の距離にある）気密封止パッケージ又はデバイス２１６は、第２の基板２０７に対して固定又は封止してよく、また第３の基板２１５に対して気密封止された第１の基板２０１を備えてよく、これは、１つ以上のＬＥＤコンポーネント２０３から放出された光によって励起された場合に所定の波長（例えば赤外波長、近赤外波長又は所定のスペクトル）の光を放出するよう構成された単波長量子ドット材料２０５を内包する、カプセル化された領域を形成する。量子ドット材料２０５は、ＬＥＤコンポーネント２０３から所定の距離だけ離間させることができる。このような例示的な実施形態では、青色光がデバイス２００の上面を通して放出されるのをフィルタリングために、第１のフィルタ２１７ａを第１の基板２０１の底面（又は上面）に設けてよく、また、上記量子ドット材料からの励起光が第３の基板２１５の底面を出るのをフィルタリングために、第２のフィルタ２１７ｂを第３の基板２１５の上面（又は底面）に設けてよい。
【００２０】
いくつかの実施形態では、第１の基板２０１、第２の基板２０７及び／又は第３の基板２１５は、ディスプレイ及び他の電子デバイスで使用するための、当該技術分野において公知のいずれのガラスを含んでよい。好適なガラスとしては、アルミノシリケート、アルカリアルミノシリケート、ボロシリケート、アルカリボロシリケート、アルミノボロシリケート、アルカリアルミノボロシリケート、及び他の好適なガラスが挙げられるが、これらに限定されない。様々な実施形態において、これらの基板は、化学強化及び／又は熱強化してよい。好適な市販の基板の非限定的な例をいくつか挙げると、Ｃｏｒｎｉｎｇ  Ｉｎｃｏｒｐｏｒａｔｅｄ製のＥＡＧＬＥ  ＸＧ（登録商標）、Ｌｏｔｕｓ（商標）、Ｉｒｉｓ（商標）、Ｗｉｌｌｏｗ（登録商標）及びＧｏｒｉｌｌａ（登録商標）ガラスである。イオン交換によって化学強化されたガラスは、いくつかの非限定的な実施形態による基板として好適となり得る。他の例示的かつ非限定的な光源２６は、同時係属中の２０１５年９月４日出願の米国特許出願第６２／２１４，５４８号明細書に記載されており、上記特許出願は参照によりその全体が本出願に援用される。
【００２１】
上述のように、ＰＭＭＡの代替品としてガラスを考える場合、ガラスの材料及び製造コストが、バックライトユニットの全体的なコストに有意な影響を与え得る。従って、純粋にコスト面に関して、比較的薄型のガラスが望ましい。一方、導光板の厚さと比較して、ＬＣＤパネル１２の照明に使用される個々のＬＥＤのサイズが相対的に大きいため、ＬＥＤからの最適な量の光をガラス導光板に結合させることができなくなる場合がある。
【００２２】
図４は、本発明の主題のいくつかの実施形態の斜視図である。図５は、図４に示されているカプラの上面平面図である。図４及び５を参照すると、いくつかの実施形態によるバックライトユニット２２は、第１の主表面３２と、第１の主表面３２の反対側の第２の主表面３４とを含む、導光板２４を備える。導光板２４は更に、第１の主表面３２と第２の主表面３４との間に延在する少なくとも１つの縁部表面３６を備える。第１の主表面と第２の主表面との間の導光板２４の厚さＴｈ１は、約０．１ミリメートル〜約３ミリメートル、約０．３ｍｍ〜約１ｍｍ、例えば０．７ミリメートル以上、１ミリメートル以上、１．５ミリメートル以上又は２ミリメートル以上、並びにこれらの間の全ての範囲及び部分範囲であってよい。いくつかの実施形態では、導光板２４のＴｈ１は、３ミリメートル以上であってよい。バックライトユニット２２は更に、導光板２４の縁部表面３６又は他のいずれの部分（例えば第１若しくは第２の主表面の縁部）に結合された光カプラ３８を備えてよい。いくつかの実施形態では、光カプラ３８は、屈折率が一致する接着剤を用いて、縁部表面３６に結合させてよい。屈折率が一致する接着剤を用いた接着により、機械加工が誘発する表面粗度による散乱を最小化又は排除できる。
【００２３】
引き続き図４及び５を参照すると、いくつかの実施形態では、例示的な光カプラ３８は３つの導波路３８ａ、３８ｂ、３８ｃを備えてよい。これらの導波路は、図４及び５に示すように、直線状かつ個別の片状であってよく、又は図７、８及び１０に示すように曲線状であってよい。いくつかの実施形態では、例示的な光カプラ３８は、所定の入力厚さＴｈ２及び長さＬ２を有する、好適な入射光源２６、例えば図３Ａ〜３Ｃに示されているＬＥＤ又はデバイスからの光を、別個かつ個別の出力厚さＴｈ２’、Ｔｈ２’’、Ｔｈ２’’’及び／又は長さＬ２’、Ｌ２’’、Ｌ２’’’に変換する、複数層の導波路３８ａ、３８ｂ、３８ｃを備えてよい。即ち例示的なカプラ３８は、導波路の断面を水平方向に変位させた後、垂直方向に変位させることにより、好適な光源２６から入力された光を、入射側（例えばカプラの入力小面）における異なる複数の高さから、出力側（導光板の縁部に隣接するか又はこれに接着された）出力側における同一の高さに変換できる。当然のことながら、いくつかの実施形態は２つのみの導波路（図示せず）、４つの導波路（図示せず）又は５つ以上の導波路（図示せず）を含むことができるため、３つの導波路３８ａ、３８ｂ、３８ｃを有するカプラの描写は、本明細書に添付された請求項の範囲を限定しないものとする。従って導波路層の個数は、２〜２０以上のいずれの数とすることができる。従って例示的な実施形態では、ある光源の放射は、水平又は横方向において異なる導波路層に結合させることができ、各層の出力は、結合縁部３６の異なる部分から、導光板２４に結合させることができる。このようにして、例示的な光結合デバイスにより、比較的厚い光源２６から比較的薄い導光板２４への光の効率的な結合を実現できる。いくつかの実施形態では、光源厚さと導光板厚さとの比は、１：１、１．５：１、２：１、２．５：１、３：１、４：１、５：１、１．５：１超、ならびにこれらの間の全ての部分範囲及び比とすることができる。
【００２４】
いくつかの実施形態では、高い結合効率を達成するために、結合デバイスの入力の厚さ（又は全導波路の合計厚さ）を、光源の高さＴｈ２以上としてよい。結合デバイスの出力の厚さＴｈ２’、Ｔｈ２’’、Ｔｈ２’’’等（又は各導波路）は、結合される導光板２４の厚さＴｈ１と略同一としてよい。当然のことながら、いくつかの実施形態では、Ｔｈ２’、Ｔｈ２’’、Ｔｈ２’’’及びこれらのいずれの組み合わせを、Ｔｈ１より小さくすることができる。更なる実施形態では、結合デバイス３８の入力長さＬ２は、光源の長さ以上とするべきである。当然のことながら、各導波路３８ａ、３８ｂ、３８ｃの層の出力長さＬ２’、Ｌ２’’、Ｌ２’’’はそれぞれ、入力長さＬ２と略同様とすることができるが、必要に応じてより大きく又はより小さくすることができる。導波路３８ａ、３８ｂ、３８ｃの層は、所定の距離Ｇｓだけ隔てられていてよく、互いに隣接してよく、又は互いの間に様々な距離を有してよい。ここでも導波路層の個数は２〜２０のいずれの数とすることができる。
【００２５】
いくつかの実施形態では、例示的なカプラ３８は、図４及び５に示すような２段階の、個々の片が直線状となった変化を有することができ、第１のセクションＳ１はＸ方向の屈曲を実現し、第２のセクションＳ２はＹ方向の屈曲を提供し、合計カプラセクションＳ＝Ｓ１＋Ｓ２である。このようなカプラの非限定的な例は、図４及び５に示されており、光源と導光板とのサイズ比が３：１であり、３つの導波路層：中央の直線状の導波路３８ｂ、及びその両側の、２つの個々の片が直線状の屈曲導波路３８ａ、３８ｃを有する。光源と導光板とのサイズのいずれの整数比に関して、いくつかの実施形態では、導波路層はそれぞれ同一の厚さを有することができるが；１つ以上の導波路層を変動させることによって、非整数比を有する例示的な設計を容易に適応させることができることに留意されたい。
【００２６】
導波路のセクションＳ１、Ｓ２によって実現される有効な屈曲は、カプラの光損失の主要な寄与因子であることが発見されている。幾何学的パラメータの関数としてのカプラの効率を、図６Ａ〜６Ｅに示すように決定した。図６Ａ〜６Ｅは、いくつかの実施形態の光結合効率のグラフである。図６Ａ及び６Ｂを参照すると、光結合効率の、Ｙ方向における例示的な導波路の屈曲セクションＳ２の長さに対する依存が考慮され、また光結合効率の、例示的な導波路の出力断面間の分離ＧＳが考慮された。図６Ａ及び６Ｂは、３ｍｍ未満のＳ２及び約０．５ｍｍ未満のＧＳに関して、Ｓ＝１０ｍｍ及び上述の他の公称パラメータを有する例示的な実施形態に関して７０％超の結合効率を得ることができることを、グラフで示している。結合効率の、カプラの全長Ｓに対する依存もまた、図６Ｃ及び６Ｄに示されており、Ｓ２は１ｍｍに設定され、Ｇｓ＝０．１ｍｍである。より短いカプラ長さに関して、第１の導波路セグメントＳ１における有効屈曲損失が増大するため、効率が迅速に低下することが観察できる。また、Ｙ方向の小さな間隙によって導波路層が隔てられることにより、結合効率が大きく改善され（図６Ｃ）、これによって、５ｍｍのカプラ長さＳに関して７５％超の効率、及び１０ｍｍのカプラ長さＳに関して約８８％の効率が達成されることも発見された。更に、光源と導光板とのサイズの比が小さいほど、結合効率が高くなることが発見され、２：１の公称カプラ（導波路層間に間隙なし）は、５ｍｍのカプラ長さの約７０％を達成した３：１のカプラよりも１０％高い効率を有する。図６Ｅを参照すると、カプラの屈折率を１．３〜１．８の範囲で変動させることにより、特定の構成内において、１．４５超のカプラ屈折率値に関して７０％超の結合効率を達成でき、従ってカプラの材料を幅広く選択できることが示されている。例示的なカプラは、ＰＭＭＡ、ポリカーボネート又は他の好適なポリマー材料から形成できる。例示的なカプラはガラス基板からも形成でき、また、アルミノシリケート、アルカリアルミノシリケート、ボロシリケート、アルカリボロシリケート、アルミノボロシリケート、アルカリアルミノボロシリケート及び他の好適なガラスを含むがこれらに限定されない、公知のいずれのガラスを含んでよい。様々な実施形態では、これらのカプラを化学強化及び／又は熱強化してよい。好適な市販のガラスの非限定的な例をいくつか挙げると、ＥＡＧＬＥ  ＸＧ、Ｌｏｔｕｓ、Ｉｒｉｓ、Ｗｉｌｌｏｗ及びＧｏｒｉｌｌａガラスである。
【００２７】
これらの発見は、光線追跡モデルを用いて複数のカプラ実施形態の光結合効率を評価することによって決定された。光源を、典型的なＬＥＤ放射の代表例であるランバート角度分布を有する光源を用い、光源表面の反射率を６０％（実験により測定される）に設定して、モデル化した。導光板の屈折率は公称値１．５に固定し、カプラの屈折率は１．３〜１．８の範囲で変化させた。導光板に結合された光を、カプラとは反対側のガラス板の縁部において検出することにより、導光された光のみが検出されることを保証した。これらの実験では、２ｍｍ×０．６ｍｍの光源断面を使用し、導光板の厚さは０．２ｍｍであった（ＬＥＤ：ＬＧＰのサイズ比が３：１であった）。０．２ｍｍのＬＧＰ厚さは、ＬＧＰ厚さ範囲の下限であったが、結果は、同一のＬＥＤ：ＬＧＰサイズ比を有する他のＬＧＰ厚さ値を代表するものである。
【００２８】
上述のように、追加の実施形態は湾曲した形状とすることができる。図７は、本発明の主題の別の実施形態の上面平面図であり、図８は、図７の１つの導波路の側面平面図である。図７及び８を参照すると、例示的なカプラ４８は、垂直及び水平寸法の両方において平滑で湾曲した導波路４８ａ、４８ｂ、４８ｃを含むことができる。この実施形態では、側部の導波路４８ａ、４８ｃは、弧の半径Ｒ及び弧の角度αを特徴とする２つの対称な弧を備える。いくつかの実施形態では、出力側の弧は入力側の弧より小さくなり得る（αより小さい角度で終端し得る）。追加の実施形態では、入力側の弧は平坦となり得、その一方で出力側の弧は、平滑な形状の非平坦部分を含むことができ、これにより垂直方向傾斜ＬＶを提供する。この垂直方向傾斜ＬＶの幾何学的形状は、図４及び５を参照して上述した実施形態において描写したものと略同様となり得る。図９は、湾曲した導波路４８ａ、４８ｂ、４８ｃが小さな空隙で隔てられている図７及び８の実施形態の、湾曲した導波路の入力側及び出力側の弧の長さが等しく、かつカプラの長さが１０ｍｍである場合の、結合効率のグラフである。この実施形態の結合効率は約９１％であったことが観察できる。従って例示的なカプラ４８は、導波路の断面を水平方向に変位させた後、垂直方向に変位させることにより、好適な光源２６から入力された光を、入力側における異なる複数の高さから、出力側における同一の高さへと変換できる。当然のことながら、いくつかの実施形態は２つのみの導波路（図示せず）、４つの導波路（図示せず）又は５つ以上の導波路（図示せず）を含むことができるため、３つの導波路４８ａ、４８ｂ、４８ｃを有するカプラの描写は、本明細書に添付された請求項の範囲を限定しないものとする。従って導波路層の個数は、２〜２０以上のいずれの数とすることができる。従って例示的な実施形態では、ある光源の放射は、水平又は横方向において異なる導波路層に結合させることができ、各層の出力は、結合縁部の異なる部分から、導光板に結合させることができる。このようにして、例示的な光結合デバイスにより、比較的薄い光源から比較的薄い導光板への光の効率的な結合を実現できる。いくつかの実施形態では、光源厚さと導光板厚さとの比は、１：１、１．５：１、２：１、２．５：１、３：１、４：１、５：１、１．５：１超、ならびにこれらの間の全ての部分範囲及び比とすることができる。
【００２９】
図４及び５に示した実施形態と同様に、図７及び８に示した例示的実施形態では、高い結合効率を達成するために、結合デバイスの入力の厚さ（又は全導波路の合計厚さ）を、光源の高さＴｈ２以上としてよい。結合デバイスの出力の厚さＴｈ２’、Ｔｈ２’’、Ｔｈ２’’’等（又は各導波路）は、結合される導光板の厚さＴｈ１と略同一とするべきである。当然のことながら、いくつかの実施形態では、Ｔｈ２’、Ｔｈ２’’、Ｔｈ２’’’及びこれらのいずれの組み合わせを、Ｔｈ１より小さくすることができる。更なる実施形態では、結合デバイス４８の入力長さＬ２は、光源の長さ以上とするべきである。当然のことながら、各導波路４８ａ、４８ｂ、４８ｃの層の出力長さＬ２’、Ｌ２’’、Ｌ２’’’はそれぞれ、入力長さＬ２と略同様とすることができるが、必要に応じてより大きく又はより小さくすることができる。導波路４８ａ、４８ｂ、４８ｃの層は、所定の距離Ｇｓだけ隔てられていてよく、互いに隣接してよく、又は互いの間に様々な距離を有してよい。ここでも導波路層の個数は２〜２０のいずれの数とすることができる。
【００３０】
図９は、弧の半径に対する結合効率のグラフである。図９を参照すると、弧の半径が減少するにつれて結合効率が上昇し、約１１．５ｍｍ〜約８ｍｍの弧の半径で９０％超の効率を達成できることが観察できる。
【００３１】
図１０は、図７及び８に示す実施形態の最適化の図である。図１０を参照すると、より高い結合効率を達成するために、最適化のためのパラメータは、入力角度α及び出力半径Ｒを含み、ここでセクションの長さＳ＝２Ｒｓｉｎ（α）である。表１は、入力角度αが６０°の場合の、半径及びセクション長さのリストを提供する。表１を参照すると、６４〜約８２％の結合効率が達成されている。
【００３２】
【表１】
2018531488.tif 000003
【００３３】
異なる結合効率を達成するために他の入力角度αを提供することも想定できるため、上の表１で提供された値は、本明細書に添付された請求項の範囲を限定するものではない。例えば、４５°未満の入力角度が想定され、４５〜６０°の入力角度が想定され、また６０°超の入力角度が想定される。
【００３４】
表２Ａ〜２Ｃは、垂直方向傾斜Ｌｖを変化させた場合の、半径及びセクション／カプラ長さのリストを提供する。表２Ａ〜２Ｃを参照すると、９０％を超える結合効率が達成されている。
【００３５】
【表２Ａ】
2018531488.tif 000004
【００３６】
【表２Ｂ】
2018531488.tif 000005
【００３７】
【表２Ｃ】
2018531488.tif 000006
【００３８】
異なる結合効率を達成するために他のカプラ長さ、半径Ｒ及び垂直方向傾斜を提供することも想定できるため、上の表２Ａ〜２Ｃで提供された値は、本明細書に添付された請求項の範囲を限定するものではない。
【００３９】
表３は、垂直方向変位、半径、及び透過百分率のリストを提供する。表３を参照すると、約１００％の結合効率が達成されている。
【００４０】
【表３】
2018531488.tif 000007
【００４１】
異なる結合効率を達成するために他の半径Ｒ及び垂直方向傾斜を提供することも想定できるため、上の表３で提供された値は、本明細書に添付された請求項の範囲を限定するものではない。
【００４２】
いくつかの実施形態では：第１の主表面、第２の主表面、及び厚さＴｈ１を有する少なくとも１つの縁部表面を備える、ガラス導光板と；縁部表面の一部分に接着された整数ｎ個の導波路を備える上記導光板に結合された光カプラと；上記光カプラの入力小面に隣接して位置決めされた光源であって、上記入力小面は厚さＴｈ２を有する、光源とを備える、バックライトユニットが提供される。他の実施形態では、Ｔｈ２をＴｈ１で除算することにより、１．５：１、２：１、３：１、４：１、５：１、１．５：１〜３：１、１．５：１〜５：１、又は５：１超の比が定義される。いくつかの実施形態では、ｎは奇数又は偶数であり、２〜２０としてもよい。他の実施形態では、ｎ個の導波路のうちの１つは湾曲した部分を含む。いくつかの実施形態では、ｎ個の導波路のうちの１つは直線状の部分を含む。他の実施形態では、ｎ個の導波路のうちの１つは、高さ及び／又は幅を変更できるよう構成された部分を含む。いくつかの実施形態では、Ｔｈ１は０．１ｍｍ〜３ｍｍである。他の実施形態では、ｎ個の導波路はそれぞれ厚さＴｈｎを有し、Ｔｈ１＝Ｔｈｎ及びＴｈ２＞Ｔｈｎである。いくつかの実施形態では、光カプラはポリマー又はガラス材料で構成される。他の実施形態では、液晶ディスプレイパネル及び上述のバックライトユニットを備えるディスプレイデバイスが提供される。
【００４３】
いくつかの実施形態では：第１の主表面、第２の主表面、及び厚さＴｈ１を有する少なくとも１つの縁部表面を備える、ガラス導光板と；縁部表面の一部分に接着された整数ｎ個の導波路を備える上記導光板に結合された入力小面を有する光カプラであって、各上記導波路は出力小面を有する、光カプラと；上記光カプラの上記入力小面に隣接して位置決めされた光源であって、上記入力小面は厚さＴｈ２を有する、光源とを備える、バックライトユニットが提供される。他の実施形態では、Ｔｈ２をＴｈ１で除算することにより、１．５：１、２：１、３：１、４：１、５：１、１．５：１〜３：１、１．５：１〜５：１、又は５：１超の比が定義される。いくつかの実施形態では、ｎは奇数又は偶数である。他の実施形態では、ｎは２〜２０である。他の実施形態では、ｎ個の導波路のうちの１つは湾曲した部分を含む。いくつかの実施形態では、ｎ個の導波路のうちの１つは直線状の部分を含む。他の実施形態では、ｎ個の導波路のうちの１つは、各上記導波路の上記入力小面から上記出力小面までの高さを変更できるよう構成された部分を含む。いくつかの実施形態では、Ｔｈ１は０．１ｍｍ〜３ｍｍである。他の実施形態では、ｎ個の導波路はそれぞれ厚さＴｈｎを有し、Ｔｈ１＝Ｔｈｎ及びＴｈ２＞Ｔｈｎである。いくつかの実施形態では、上記ｎ個の導波路はそれぞれ、上記入力小面の異なる部分に隣接する。他の実施形態では、上記ｎ個の導波路の各上記出力小面の中線は、同一平面上にある。他の実施形態では、液晶ディスプレイパネル及び上述のバックライトユニットを備えるディスプレイデバイスが提供される。
【００４４】
いくつかの実施形態では：入力小面と；整数ｎ個の導波路であって、各上記導波路は出力小面を有する、導波路とを備える、光カプラが提供される。いくつかの実施形態では、ｎは奇数又は偶数である。他の実施形態では、ｎは２〜２０である。他の実施形態では、ｎ個の導波路のうちの１つは湾曲した部分を含む。いくつかの実施形態では、ｎ個の導波路のうちの１つは直線状の部分を含む。他の実施形態では、ｎ個の導波路のうちの１つは、各上記導波路の上記入力小面から上記出力小面までの高さを変更できるよう構成された部分を含む。
【００４５】
本開示の様々な実施形態は、当該特定の実施形態に関連して記載されている特定の特徴、要素又はステップを伴い得ることが理解されるだろう。また、ある特定の特徴、要素又はステップは、ある特定の実施形態に関連して記載されていても、例示されていない組み合わせ又は順列で、相互交換してよく、又は代替実施形態と組み合わせてよいことが理解されるだろう。
【００４６】
また本明細書中で使用される場合、用語「上記（ｔｈｅ）」、「ある（ａ又はａｎ）」は「少なくとも１つの（ａｔ  ｌｅａｓｔ  ｏｎｅ）」を意味し、そうでないことが明示されていない限り、「唯一の（ｏｎｌｙ  ｏｎｅ）」に限定されてはならないことも理解されたい。従って例えば「少なくとも１つのシール（ａｔ  ｌｅａｓｔ  ｏｎｅ  ｓｅａｌ）」に関する言及は、文脈によってそうでないことが明示されていない限り、２つ以上のこのような「シール（ｓｅａｌｓ）」を有する例を含む。同様に「複数の（ｐｌｕｒａｌｉｔｙ）」又は「アレイ（ａｒｒａｙ）」は、２つ以上のものを指すことを意図しており、従って「キャビティのアレイ（ａｒｒａｙ  ｏｆ  ｃａｖｉｔｉｅｓ）」又は「複数のキャビティ（ｐｌｕｒａｌｉｔｙ  ｏｆ  ｃａｖｉｔｉｅｓ）」は、２つ以上のこのようなキャビティを指す。
【００４７】
本明細書において、範囲は、「約（ａｂｏｕｔ）」ある特定の値から、及び／又は「約」別の特定の値までとして表現され得る。このような範囲が表現されている場合、その例は、上記ある特定の値から、及び／又は上記別の特定の値までを含む。同様に、先行詞「約」を用いることにより、値が概数として表現されている場合、上記特定の値は別の態様を形成することが理解されるだろう。更に、各範囲の端点は、他方の端点との関連でも、他方の端点とは独立しても、重要であることが理解されるだろう。
【００４８】
本明細書中で使用される場合、用語「略（ｓｕｂｓｔａｎｔｉａｌ）」、「実質的に、略（ｓｕｂｓｔａｎｔｉａｌｌｙ）」及びこれらの変形形態は、記載されている特徴が、ある値又は記載と等しいか又はおおよそ等しいことを記述することを意図している。例えば「略平面状の（ｓｕｂｓｔａｎｔｉａｌｌｙ  ｐｌａｎａｒ）」表面は、平面状の又はおおよそ平面状の表面を指すことを意図している。更に「略同様の（ｓｕｂｓｔａｎｔｉａｌｌｙ  ｓｉｍｉｌａｒ）」は、２つの値が等しいか又はおおよそ等しいことを指すことを意図している。
【００４９】
そうでないことが言明されていない限り、本明細書に記載のいずれの方法が、そのステップを特定の順序で実施することを必要とするものとして解釈されることは、全く意図されていない。従って、ある方法クレームが、そのステップが従うべき順序を実際に列挙していない場合、又はステップをある特定の順序に限定するべきであることが、特許請求の範囲若しくは説明中で具体的に言明されていない場合、いずれの特定の順序が推定されることは全く意図されていない。
【００５０】
特定の実施形態の様々な特徴、要素又はステップが、移行句「…を含む／備える（ｃｏｍｐｒｉｓｉｎｇ）」を用いて開示される場合があるが、移行句「…からなる（ｃｏｎｓｉｓｔｉｎｇ  ｏｆ）」又は「…から本質的になる（ｃｏｎｓｉｓｔｉｎｇ  ｅｓｓｅｎｔｉａｌｌｙ  ｏｆ）」を用いて記載され得るものを含む代替実施形態も含意されていることを理解されたい。従って例えば、Ａ＋Ｂ＋Ｃを備えるデバイスに対して含意されている代替実施形態は、デバイスがＡ＋Ｂ＋Ｃからなる実施形態、及びデバイスがＡ＋Ｂ＋Ｃから本質的になる実施形態を含む。
【００５１】
本開示の精神及び範囲から逸脱することなく、様々な修正及び変形を本開示に対して実施できることは、当業者には理解されるだろう。本開示の精神及び内容を組み込んだ、本開示の実施形態の修正、組み合わせ、部分的組み合わせ及び変形が、当業者には想起され得るため、本開示は、添付の特許請求の範囲及びその均等物の範囲内にある全てを含むものとして解釈されるものとする。
【００５２】
以下、本発明の好ましい実施形態を項分け記載する。
【００５３】
実施形態１
第１の主表面、第２の主表面及び厚さＴｈ１の少なくとも１つの縁部表面を備えるガラス導光板；
上記縁部表面の一部分に接着された整数ｎ個の導波路を備える上記導光板に結合された光カプラ；並びに
上記光カプラの入力小面に隣接して位置決めされた光源であって、上記入力小面は厚さＴｈ２を有する、光源
を備える、バックライトユニット。
【００５４】
実施形態２
上記Ｔｈ２を上記Ｔｈ１で除算することにより、１．５：１、２：１、３：１、４：１、５：１、１．５：１〜３：１、１．５：１〜５：１、又は５：１超の比が定義される、実施形態１に記載のバックライトユニット。
【００５５】
実施形態３
上記ｎは奇数である、実施形態１又は２に記載のバックライトユニット。
【００５６】
実施形態４
上記ｎは２〜２０である、実施形態１又は２に記載のバックライトユニット。
【００５７】
実施形態５
上記ｎ個の導波路のうちの１つは、湾曲した部分を含む、実施形態１〜４のいずれか１つに記載のバックライトユニット。
【００５８】
実施形態６
上記ｎ個の導波路のうちの１つは、直線状の部分を含む、実施形態１〜５のいずれか１つに記載のバックライトユニット。
【００５９】
実施形態７
上記ｎ個の導波路のうちの１つは、高さ及び／又は幅を変更できるよう構成された部分を含む、実施形態１〜６のいずれか１つに記載のバックライトユニット。
【００６０】
実施形態８
上記Ｔｈ１は０．１ｍｍ〜３ｍｍである、実施形態１〜７のいずれか１つに記載のバックライトユニット。
【００６１】
実施形態９
上記ｎ個の導波路はそれぞれ厚さＴｈｎを有し、Ｔｈ１＝ＴｈｎかつＴｈ２＞Ｔｈｎである、実施形態１〜８のいずれか１つに記載のバックライトユニット。
【００６２】
実施形態１０
上記光カプラは、ポリマー又はガラス材料で構成される、実施形態１〜９のいずれか１つに記載のバックライトユニット。
【００６３】
実施形態１１
液晶ディスプレイパネル；及び
上記液晶ディスプレイを照明するよう構成された、実施形態１〜１０のいずれか１つに記載のバックライトユニット
を備える、ディスプレイデバイス。
【００６４】
実施形態１２
第１の主表面、第２の主表面及び厚さＴｈ１の少なくとも１つの縁部表面を備えるガラス導光板；
上記縁部表面の一部分に接着された整数ｎ個の導波路を備える上記導光板に結合された入力小面を有する光カプラであって、各上記導波路は出力小面を有する、光カプラ；並びに
上記光カプラの入力小面に隣接して位置決めされた光源であって、上記入力小面は厚さＴｈ２を有する、光源
を備える、バックライトユニット。
【００６５】
実施形態１３
上記Ｔｈ２を上記Ｔｈ１で除算することにより、１．５：１、２：１、３：１、４：１、５：１、１．５：１〜３：１、１．５：１〜５：１、又は５：１超の比が定義される、実施形態１２に記載のバックライトユニット。
【００６６】
実施形態１４
上記ｎは奇数である、実施形態１２又は１３に記載のバックライトユニット。
【００６７】
実施形態１５
上記ｎは２〜２０である、実施形態１２又は１３に記載のバックライトユニット。
【００６８】
実施形態１６
上記ｎ個の導波路のうちの１つは、湾曲した部分を含む、実施形態１２〜１５のいずれか１つに記載のバックライトユニット。
【００６９】
実施形態１７
上記ｎ個の導波路のうちの１つは、直線状の部分を含む、実施形態１２〜１６のいずれか１つに記載のバックライトユニット。
【００７０】
実施形態１８
上記ｎ個の導波路のうちの１つは、各上記導波路の上記入力小面から上記出力小面までの高さを変更できるよう構成された部分を含む、実施形態１２〜１７のいずれか１つに記載のバックライトユニット。
【００７１】
実施形態１９
上記Ｔｈ１は０．１ｍｍ〜３ｍｍである、実施形態１２〜１８のいずれか１つに記載のバックライトユニット。
【００７２】
実施形態２０
上記ｎ個の導波路はそれぞれ厚さＴｈｎを有し、Ｔｈ１＝ＴｈｎかつＴｈ２＞Ｔｈｎである、実施形態１２〜１９のいずれか１つに記載のバックライトユニット。
【００７３】
実施形態２１
各上記導波路は、上記入力小面の異なる部分に隣接する、実施形態１２〜２０のいずれか１つに記載のバックライトユニット。
【００７４】
実施形態２２
上記ｎ個の導波路の上記出力小面はそれぞれ、同一平面上にある、実施形態１３に記載のバックライトユニット。
【００７５】
実施形態２３
液晶ディスプレイパネル；及び
上記液晶ディスプレイを照明するよう構成された、実施形態１２〜２２のいずれか１つに記載のバックライトユニット
を備える、ディスプレイデバイス。
【００７６】
実施形態２４
入力小面；
整数ｎ個の導波路であって、各上記導波路は出力小面を有する、導波路
を備える、光カプラ。
【００７７】
実施形態２５
上記ｎは奇数である、実施形態２４に記載の光カプラ。
【００７８】
実施形態２６
上記ｎは２〜２０である、実施形態２４に記載の光カプラ。
【００７９】
実施形態２７
上記ｎ個の導波路のうちの１つは、湾曲した部分を含む、実施形態２４〜２６のいずれか１つに記載の光カプラ。
【００８０】
実施形態２８
上記ｎ個の導波路のうちの１つは、直線状の部分を含む、実施形態２４〜２７のいずれか１つに記載の光カプラ。
【００８１】
実施形態２９
上記ｎ個の導波路のうちの１つは、各上記導波路の上記入力小面から上記出力小面までの高さを変更できるよう構成された部分を含む、実施形態２４〜２８のいずれか１つに記載の光カプラ。
【符号の説明】
【００８２】
１０      液晶ディスプレイデバイス
１２      液晶ディスプレイパネル
１４      上部ガラス板
１６      底部ガラス板
１８      液晶材料
２０      封止材料
２２      バックライトユニット
２４      導光板
２６      光源
２８      発光ダイオード
３０      ストリップ状回路基板
３２      第１の主表面
３４      第２の主表面
３６      縁部表面
３８      光カプラ
３８ａ、３８ｂ、３８ｃ、４８、４８ａ、４８ｂ、４８ｃ    導波路
４８      カプラ
２００    封止されたデバイス
２０１    第１のガラス基板
２０３    ＬＥＤコンポーネント、ＬＥＤ
２０５    量子ドット
２０７    第２のガラス基板
２０９    キャビティ
２１１    シール
２１３    分離バリア又はフィルム
２１５    第３の基板
２１６    気密封止パッケージ又はデバイス
２１７ａ、２１７ｂ  フィルム
【図１】
2018531488.tif 000008
【図２】
2018531488.tif 000009
【図３Ａ】
2018531488.tif 000010
【図３Ｂ】
2018531488.tif 000011
【図３Ｃ】
2018531488.tif 000012
【図４】
2018531488.tif 000013
【図５】
2018531488.tif 000014
【図６Ａ】
2018531488.tif 000015
【図６Ｂ】
2018531488.tif 000016
【図６Ｃ】
2018531488.tif 000017
【図６Ｄ】
2018531488.tif 000018
【図６Ｅ】
2018531488.tif 000019
【図７】
2018531488.tif 000020
【図８】
2018531488.tif 000021
【図９】
2018531488.tif 000022
【図１０】
2018531488.tif 000023
【国際調査報告】
2018531488.tif 000024
2018531488.tif 000025
2018531488.tif 000026